(57)【特許請求の範囲】
【請求項１】
一端寄りがドアに対して軸支されると共に、他端部が第１のローラガイドｂを介してウィンドガラスに連結されたリフトアーム１２と、前記リフトアーム１２の一端に固着されたドリブンギア１３と、第１のアーム部材２と第２のアーム部材３とから成るイコライザアーム１とを有し、
前記第１のアーム部材２の一端部が前記リフトアーム１２の中間部の一面側に配置されると共に、前記第１のアーム部材２の他端部が前記第１のローラガイドｂを介して前記ウィンドガラスに連結され、
前記第２のアーム部材３の一端部が前記リフトアーム１２の中間部の他面側に配置されると共に、前記第２のアーム部材３の他端部が第２のローラガイドｈを介してドアに連結され、
前記第１のアーム部材２の一端部と前記第２のアーム部材３の一端部とが、前記リフトアーム１２の中間部に設けられた貫通孔１４を通じて重合されると共に溶接によって一体に固着されて前記リフトアーム１２の中間部に前記イコライザアーム１の中間部が回動可能に軸支され、
ドアに装着されて前記ドリブンギア１３と噛み合う駆動機構を、手動又はモータによって駆動させることにより、前記リフトアーム１２を上下に回動させ、前記リフトアーム１２の中間部に軸支された前記イコライザアーム１を回動させると共に、前記リフトアーム１２の他端部及び前記第１のアーム部材２の他端部に前記第１のローラガイドｂを介して連結されたウィンドガラスを昇降させるウィンドレギュレータにおいて、
前記第１のアーム部材２の一端部に、平面円形で、頂部が平らな円形突起４が形成され、前記円形突起４の頂部に、前記円形突起４と同心状の円周に沿って断面波状の膨出部５が設けられ、前記膨出部５の頂部の突起６は、円周方向の長さが径方向の長さより長く形成され、
前記第２のアーム部材３の一端部に、前記第１のアーム部材２の膨出部５よりも径大で、前記リフトアーム１２の前記貫通孔１４より僅かに径小であり、且つ頂部が平らな円形突出部１１が形成され、
前記リフトアーム１２の前記貫通孔１４に、前記第２のアーム部材３の前記円形突出部１１が嵌合され、前記円形突出部１１の頂部に対して前記第１のアーム部材２の前記膨出部５の突起６が重合されると共に重合部分が溶接によって一体に固着されている、
ことを特徴とするウィンドレギュレータ。
【請求項２】
前記膨出部５は、円周方向に沿って断続的に形成されていることを特徴とする請求項１に記載のウィンドレギュレータ。
【発明の詳細な説明】
【０００１】
【発明の属する技術分野】
本発明は、Ｘアーム式のウィンドレギュレータに関する。
【０００２】
【従来の技術】
一般的なＸアーム式のウィンドレギュレータａは、図７に示すように、一端寄りがドアに対して軸支されると共に、他端部がローラガイドｂを介してウィンドガラスに連結されたリフトアームｃと、リフトアームｃの一端に固着されたドリブンギアｄと、リフトアームｃの中間部に軸支されたイコライザアームｅとを備える。
【０００３】
また、イコライザアームｅは、第１のアーム部材ｆと第２のアーム部材ｇとから成る。第１のアーム部材ｆは、その一端部がリフトアームｃの中間部一面側に軸支されると共に、他端部が他のローラガイドｂを介してウィンドガラスに連結され、第２のアーム部材ｇは、その一端部がリフトアームｃの中間部他面側に軸支されると共に、他端部がローラガイドｈを介してドアに連結されている。なお、ローラガイドｂ，ｈは、それぞれリフトアームｃ及びイコライザアームｅの端部に装着されたローラを水平方向に案内するようになっている。
【０００４】
そして、ドアに装着されてドリブンギアｄと噛み合う駆動機構を、手動又はモータによって駆動させることにより、リフトアームｃを上下に回動させ、これによってリフトアームｃの中間部に軸支されたイコライザアームｅを、第１のアーム部材ｆの一端部を中心として上下に回動させると共に、リフトアームｃの他端部及び第１のアーム部材ｆの他端部にローラガイドｂを介して連結されたウィンドガラスを昇降させるようになっている。ところで、従来のＸアーム式ウィンドレギュレータにおいては、イコライザアームを構成する第１のアーム部材及び第２のアーム部材の一端部は、特開平８−７４４６９号公報に記載のもののように、リフトアームの中間部に挿通されたピンによって、互いに一体に、且つ、リフトアームに対して回動可能に取り付けられていた。
【０００５】
【発明が解決しようとする課題】
しかし、上記従来のイコライザアームのように、第１のアーム部材と第２のアーム部材とをピンで接合する方法は、これらアーム部材の板厚が厚い場合には適しているが、リフトアーム及びイコライザアームの撓みを確保するために、その板厚を薄くすると、軸支部分に大きな応力が集中した結果、変形してしまう虞がある。この発明は、板厚の薄いアームであっても変形する心配が無く、イコライザアームを構成する第１のアーム部材と第２のアーム部材とを溶接する際に、アーム部材に孔があくことなく、しかも溶接強度が高いウィンドレギュレータを提供することを課題とする。
【０００６】
【課題を解決するための手段】
請求項１に係るウィンドレギュレータは、一端寄りがドアに対して軸支されると共に、他端部が第１のローラガイドｂを介してウィンドガラスに連結されたリフトアーム１２と、前記リフトアーム１２の一端に固着されたドリブンギア１３と、第１のアーム部材２と第２のアーム部材３とから成るイコライザアーム１とを有し、前記第１のアーム部材２の一端部が前記リフトアーム１２の中間部の一面側に配置されると共に、前記第１のアーム部材２の他端部が前記第１のローラガイドｂを介して前記ウィンドガラスに連結され、前記第２のアーム部材３の一端部が前記リフトアーム１２の中間部の他面側に配置されると共に、前記第２のアーム部材３の他端部が第２のローラガイドｈを介してドアに連結され、前記第１のアーム部材２の一端部と前記第２のアーム部材３の一端部とが、前記リフトアーム１２の中間部に設けられた貫通孔１４を通じて重合されると共に溶接によって一体に固着されて前記リフトアーム１２の中間部に前記イコライザアーム１の中間部が回動可能に軸支され、ドアに装着されて前記ドリブンギア１３と噛み合う駆動機構を、手動又はモータによって駆動させることにより、前記リフトアーム１２を上下に回動させ、前記リフトアーム１２の中間部に軸支された前記イコライザアーム１を回動させると共に、前記リフトアーム１２の他端部及び前記第１のアーム部材２の他端部に前記第１のローラガイドｂを介して連結されたウィンドガラスを昇降させるものであって、前記第１のアーム部材２の一端部に、平面円形で、頂部が平らな円形突起４が形成され、前記円形突起４の頂部に、前記円形突起４と同心状の円周に沿って断面波状の膨出部５が設けられ、前記膨出部５の頂部の突起６は、円周方向の長さが径方向の長さより長く形成され、前記第２のアーム部材３の一端部に、前記第１のアーム部材２の膨出部５よりも径大で、前記リフトアーム１２の前記貫通孔１４より僅かに径小であり、且つ頂部が平らな円形突出部１１が形成され、前記リフトアーム１２の前記貫通孔１４に、前記第２のアーム部材３の前記円形突出部１１が嵌合され、前記円形突出部１１の頂部に対して前記第１のアーム部材２の前記膨出部５の突起６が重合されると共に重合部分が溶接によって一体に固着されている、ことを特徴とする。
【０００７】
請求項２に係るウィンドレギュレータは、請求項１に係るウィンドレギュレータにおいて、前記膨出部が、円周方向に沿って断続的に形成されていることを特徴とするものである。
【０００８】
【発明の実施の形態】
以下、本発明の実施形態を図面に基づいて詳細に説明する。
図１及び図２に示すように、ウィンドレギュレータ用イコライザアーム１は、それぞれ鋼板、アルミニウム板等の金属板をプレス成形して成る第１のアーム部材２と第２のアーム部材３とで構成してある。また、第１のアーム部材２及び第２のアーム部材３の成形前の板厚は、一定以上の撓み量を確保するために、１mm以下（望ましくは０．８mm程度）とする。
【０００９】
図３及び図４に示すように、第１のアーム部材２の一端部は略円形に形成してあり、この部分に平面円形で、頂部が平らな円形突起４が形成される。円形突起４の平滑な頂部には、断面波状の膨出部５が円形突起４と同心状の円周に沿って形成される。この膨出部５は円周方向に連続していても良いが、平面略弧状の複数の（図に示す例では４個の）突起６を円周方向に沿って断続的に配置して構成すると、後述する溶接作業が簡易化される。
また、膨出部５の頂部、すなわち突起６は、円周方向の長さが径方向の長さより長く形成されている。
第１のアーム部材２の両端部及び周縁部を除く部分には、円形突出部４より高さの低い隆起部８が形成され、この隆起部８に補強のための多数のホシ打ち９が凹凸状に施されている。また、第１のアーム部材２の他端部には、ローラ取り付け用孔７が穿設され、このローラ取り付け用孔７に図示しないローラが装着されるようになっている。
【００１０】
図５及び図６に示すように、第２のアーム部材３の一端部は、第１のアーム部材２の一端部とほぼ同形に形成してあり、その外周寄りに円環状の補強突条１０が形成される。また、補強突条１０の内側には、第１のアーム部材２の円形突起４よりも径小で膨出部５よりも径大であり、且つ、補強突条１０より高さが高い円形突出部１１が形成されている。この円形突出部１１の頂部は平滑に形成されている。
第２のアーム部材３の両端部及び周縁部を除く部分には、補強突条１０より高さの低い隆起部８’が形成され、この隆起部８’に多数のホシ打ち９’が凹凸状に施されている。また、第２のアーム部材３の他端部にはローラ取り付け用孔７’が穿設され、このローラ取り付け用孔７’に図示しないローラが装着されるようになっている。
【００１１】
第１のアーム部材２及び第２のアーム部材３から成るイコライザアーム１は次のような方法で組み立てられると共に、第３のアームであるリフトアーム１２（図１及び図２）に軸支される。
リフトアーム１２の一端にはドリブンギア１３が固着され、リフトアーム１２の長手方向中間部には、第２のアーム部材３の円形突出部１１より僅かに径大の貫通孔１４が穿設されている。また、貫通孔１４の周囲には、一面側に起立する立上壁１５が形成される。
【００１２】
まず、リフトアーム１２の長手方向中間部の一面側に第２のアーム部材３の一端部をあてがい、リフトアーム１２の貫通孔１４に第２のアーム部材３の円形突出部１１を嵌合すると共に、立上壁１５を補強突条１０と円形突出部１１との間の溝に係合する。
次に、リフトアーム１２の長手方向中間部の他面側に第１のアーム部材２の一端部を、その円形突起４の頂部をリフトアーム１２に向けて接近させ、円形突起４の内側に形成された膨出部５の頂部（各突起６）を、第２のアーム部材３の円形突出部１１の頂部に重合する。
【００１３】
次いで、膨出部５を挟んで、第１のアーム部材２及び第２のアーム部材３に圧力を加えると共に、電力を供給して、第１のアーム部材２の膨出部５と第２のアーム部材３の円形突出部１１とをスポット溶接する。この時、突起６は円周方向の長さが半径方向長さより長い略弧状をなすので、その厚みが、第１のアーム部材２及び第２のアーム部材３の成形前の板厚である１mmよりさらに薄厚となっても、完全に溶解してしまうことはない。
【００１４】
なお、上記のように製造されたイコライザアーム１は、従来のものと同様のウィンドレギュレータに組み込まれる。すなわち、第１のアーム部材２の他端に装着されたローラ及びリフトアーム１２の他端に装着されたローラは、図示しないローラガイドを介してウィンドガラスに連結され、第２のアーム部材３の他端に装着されたローラは、図示しないローラガイドを介してドアに連結される。また、リフトアームの一端に固着されたドリブンギア１３は、ドアに装着された図示しない駆動機構と噛み合っている。
【００１５】
【発明の効果】
請求項１に記載の構成によれば、板厚の薄いウィンドレギュレータ用のイコライザアームであっても、その構成部材である第１のアーム部材と第２のアーム部材とを、円周方向の長さが径方向の長さより長い膨出部頂部において溶接するので、接合部に加わる応力が分散されて一カ所に集中せず、このため接合部が変形するのを防ぐことができる。また、被溶接部の板厚が薄くても、円形の突起を介してスポット溶接したもののように膨出部の頂部が熱で完全に溶けて孔があいてしまう虞が無く、接合部分の溶接強度も高い。第１のアーム部材と第２のアーム部材との位置決めが容易であり、第１のアーム部材と第２のアーム部材とを溶接すると同時に、第１及び第２のアームと第３のアームとを組み立てることができる。請求項２に記載の構成によれば、溶接作業が非常に簡易化され、作業時間が短時間で済む。
【図面の簡単な説明】
【図１】  本発明の実施形態に係るウィンドレギュレータの要部正面図
【図２】  同上の断面図
【図３】  第１のアーム部材の正面図
【図４】  同上の断面図
【図５】  第２のアーム部材の正面図
【図６】  同上の断面図
【図７】  一般的なウィンドレギュレータの正面図
【符号の説明】
１  ウィンドレギュレータ用イコライザアーム
２  第１のアーム部材
３  第２のアーム部材
４  円形突起
５  膨出部
６  突起
７  ローラ取付用孔
８，８’  隆起部
９，９’  ホシ打ち
１０  補強突条
１１  円形突出部
１２  リフトアーム
１３  ドリブンギア
１４  貫通孔
１５  立上壁
ａ  ウィンドレギュレータ
ｂ  ローラガイド
ｃ  リフトアーム
ｄ  ドリブンギア
ｅ  イコライザアーム
ｆ  第１のアーム部材
ｇ  第２のアーム部材
ｈ  ローラガイド
【図１】
0004204684.tif 000002
【図２】
0004204684.tif 000003
【図３】
0004204684.tif 000004
【図４】
0004204684.tif 000005
【図５】
0004204684.tif 000006
【図６】
0004204684.tif 000007
【図７】
0004204684.tif 000008